(57)【要約】【課題】建物の壁面への庇板の設置が容易であり、また、庇の設置場所の制限を回避でき、出幅の大きな庇にも出幅の小さな庇にも適用できる庇用アームを提供する。  【解決手段】庇用アーム２は、建物の壁面より張り出すように庇板１０を支持するためのものであって、庇板１０の上面と下面のいずれにも出幅方向に沿って当接させて固定することが可能な支持体３と、後端部に壁面に固着される固着部５を有し固着部５が壁面に固着されたとき庇板１０を支持体３を介して片持ち状態で支持するアーム本体４とを一体に備える。【選択図】図１
2020045664.tif 000002
【特許請求の範囲】
【請求項１】
壁面より張り出すように庇板を支持するための庇用アームであって、庇板の上面と下面のいずれにも出幅方向に沿って当接させて固定することが可能な支持体と、後端部に壁面に固着される固着部を有し前記固着部が壁面に固着されたとき前記庇板を前記支持体を介して片持ち状態で支持するアーム本体とを一体に備える庇用アーム。
【請求項２】
前記支持体は、前記固着部が壁面に固着された状態のとき、前記庇板が前下がりとなるように庇板に当接させる面の水平面に対する傾きが設定されている請求項１に記載の庇用アーム。
【請求項３】
前記支持体は、前記固着部が壁面に固着された状態のとき、前記庇板が後下がりとなるように庇板に当接させる面の水平面に対する傾きが設定されている請求項１に記載の庇用アーム。
【請求項４】
前記支持体は、前記庇板に当接させる面を有する帯板状の水平板部と、前記水平板部の前記庇板に当接させる面と反対側の面に全長にわたって設けられる垂直板部とを一体に備える請求項１に記載の庇用アーム。
【請求項５】
前記水平板部には、前記庇板に前記支持体を固定するためのねじが通される複数個の孔が間隔をあけて設けられる請求項４に記載の庇用アーム。
【請求項６】
前記支持体は、前記アーム本体の前端より前方へ突き出る突出部を有し、前記垂直板部は、前記突出部に対応する部分の高さが前記アーム本体に対応する部分の高さより低く設定される請求項４に記載の庇用アーム。  
【請求項７】
前記アーム本体は、外形が略直角三角形であって、互いに略直角をなす辺の一方に前記支持体が連設され、他方に前記固着部が一体に設けられる請求項１に記載の庇用アーム。
【請求項８】
庇板と、請求項１〜７のいずれかに記載の少なくとも１本の庇用アームとを有し、前記庇用アームにより前記庇板が片持ち状態で支持される庇。
【請求項９】
前記庇板は、庇板の上面に前記庇用アームの前記支持体を当接させて固定することにより上方より支持される請求項８に記載の庇。
【請求項１０】
前記庇板は、庇板の下面に前記庇用アームの前記支持体を当接させて固定することにより下方より支持される請求項８に記載の庇。
【発明の詳細な説明】
【技術分野】
【０００１】
この発明は、建物の壁面に庇板を設置するのに用いられる庇用アームと、その庇用アームを用いて建物の壁面に設置される庇とに関する。
【背景技術】
【０００２】
典型的な庇は、庇板が建物の壁面から張り出すように設置される。図１３に示すように、庇板１０は、その後端部が建物の壁面に固着される保持具１００により全幅にわたって保持される。保持具１００上にはカバー１０１が被せられ、両端には端板１０２がねじ止めされる。出幅や幅の大きな庇では、必要に応じて、庇板１０の少なくとも１箇所がサポートポールにより支持される（例えば特許文献１参照）。
【０００３】
保持具１００は、庇板１０の幅とほぼ一致する長さを有している。詳細は図示していないが、保持具１００は、建物の壁面に背面を当接させて複数のボルトにより固定される背板部と、背板部の前面に溝を挟んで上下に対向して設けられる上下一対の保持板部とを一体に備えている。庇板１０は後端部が前記の溝へ挿入されて保持される。
【先行技術文献】
【特許文献】
【０００４】
【特許文献１】特開２０１３−２４９５８５号公報
【発明の概要】
【発明が解決しようとする課題】
【０００５】
上記した庇では、建物の壁面に庇板１０の全幅にわたる保持具１００を取り付ける必要があるため、保持具１００の取付作業および保持具１００の溝への庇板１０の挿入作業に手数がかかるだけでなく、保持具１００を設置するために広いスペースが必要であり、庇の設置場所に制限を受ける場合がある。
【０００６】
また、出幅の大きな庇では、庇板と建物の外壁面との間にサポートポールが設けられるが、サポートポールの場合、庇板との連結箇所および建物の壁面との連結箇所に特別の連結金具が必要であり、構造の複雑化とコスト高を招く。
【０００７】
この発明は、上記の問題に着目してなされたもので、建物の壁面への庇板の設置が容易であり、また、庇の設置場所の制限を回避でき、出幅の大きな庇にも出幅の小さな庇にも適用できる庇用アームと、その庇用アームを用いて建物の壁面に設置される庇とを提供することを目的とする。
【課題を解決するための手段】
【０００８】
この発明による庇用アームは、壁面より張り出すように庇板を支持するためのものであって、庇板の上面と下面のいずれかに出幅方向に沿って当接させて固定することが可能な支持体と、後端部に壁面に固着される固着部を有し固着部が壁面に固着されたとき庇板を支持体を介して片持ち状態で支持するアーム本体とを一体に備える。
【０００９】
庇板を建物の壁面に設置するには、庇板の幅に応じた本数の庇用アームを用いる。例えば２本の庇用アームを用いる場合、庇板の両側部位置において、各庇用アームの支持体を例えば庇板の上面にそれぞれ当接させて固定し、アーム本体の固着部をそれぞれ建物の壁面にボルト等の固着具により固着する。これにより、各庇用アームのアーム本体は支持体を介して庇板を片持ち状態で上方より支持する。
一方、庇板の両側部位置において、各庇用アームの支持体を庇板の下面にそれぞれ当接させて固定し、アーム本体の固着部をそれぞれ建物の壁面にボルト等の固着具により固着することもでき、この場合は各庇用アームのアーム本体は支持体を介して庇板を片持ち状態で下方より支持する。
【００１０】
この発明による庇用アームは、建物の壁面に庇板の全幅にわたって取り付ける必要がなく、特定の位置（例えば両側部位置）に取り付ければよく、建物の壁面への庇板の設置作業が容易である。また、庇用アームを設置するのに広いスペースが不要であり、しかも、庇板を上方、下方のいずれからも片持ち状態で支持できるので、庇の設置場所の状況に応じて支持の態様を選択でき、庇の設置場所の制限を回避できる。また、庇の出幅に応じて支持体を好ましい長さに設定すればよく、出幅の大きな庇にも出幅の小さな庇にも対応できる。
さらに、庇用アームは、サポートポールとして用いることもでき、この場合に、庇板との連結箇所や建物の壁面との連結箇所に、特別な連結金具を必要としない。
【００１１】
一実施態様においては、支持体は、固着部が壁面に固着された状態のとき、庇板が前下がりとなるように庇板に当接させる面の水平面に対する傾きが設定されている。
【００１２】
この実施態様によると、固着部が壁面に固着された状態のとき、庇板は前下がりの状態で支持体により支持されるので、雨水は庇板の上面を前方向へ流れることになる。
この実施態様の庇用アームの支持体を庇板の他方の面に当接させて固定した場合、固着部が壁面に固着された状態のとき、庇板は後下がりの状態で支持体により支持されることになり、雨水は庇板の上面を後方向へ流れる。
【００１３】
他の実施態様においては、支持体は、固着部が壁面に固着された状態のとき、庇板が後下がりとなるように庇板に当接させる面の水平面に対する傾きが設定されている。
【００１４】
この実施態様によると、固着部が壁面に固着された状態のとき、庇板は後下がりの状態で支持体により支持されるので、雨水は庇板の上面を後方向へ流れることになる。
この実施態様の庇用アームの支持体を庇板の他方の面に当接させて固定した場合、固着部が壁面に固着された状態のとき、庇板は前下がりの状態で支持体により支持されることになり、雨水は庇板の上面を前方向へ流れる。
【００１５】
好ましい実施態様においては、支持体は、前記庇板に当接させる面を有する帯板状の水平板部と、水平板部の庇板に当接させる面と反対側の面に全長にわたって設けられる垂直板部とを一体に備える。
【００１６】
この実施態様によると、垂直板部は補強リブとして機能するので、水平板部の強度が全長にわたって高められる。
【００１７】
水平板部には、好ましくは、庇板に支持体を固定するためのねじが通される複数個の孔が間隔をあけて設けられる。
【００１８】
この実施態様によると、水平板部を庇板に当接させてねじ止めするだけで庇用アームの支持体を庇板に簡単に固定できる。なお、水平板部の庇板への固定は、ねじ止めに限らず、接着であってもよく、さらにねじ止めと接着とを組み合わせてもよい。
【００１９】
この発明のさらに好ましい実施態様においては、支持体は、アーム本体の前端より前方へ突き出る突出部を有し、垂直板部は、突出部に対応する部分の高さがアーム本体に対応する部分の高さより低く設定される。  
【００２０】
この実施態様によると、出幅の小さな庇板では、その出幅に応じて、突出部の全長ないし部分を切り離す。この場合、突出部は垂直板部の高さを低く設定しているので、切断が容易である。この切断により、支持体の長さが庇板の出幅に合わせられるので、出幅が異なる庇板毎に複数種のアームを用意する必要がなく、在庫管理が容易である。
【００２１】
好ましい実施態様のアーム本体は、外形が略直角三角形であって、互いに略直角をなす辺の一方に支持体が連設され、他方に固着部が一体に設けられる。
【００２２】
この実施態様によると、アーム本体の耐荷重性が高められる。
【００２３】
この発明による庇は、庇板と、少なくとも１本の庇用アームとを有し、前記庇用アームにより庇板が片持ち状態で支持される。
【００２４】
一実施態様の庇においては、庇板は、庇板の上面に庇用アームの支持体を当接させて固定することにより上方より支持される。
【００２５】
他の実施態様の庇においては、庇板は、庇板の下面に庇用アームの支持体を当接させて固定することにより下方より支持される。
【発明の効果】
【００２６】
この発明によると、壁面への庇板の設置が容易であり、庇の設置場所の制限を回避でき、出幅の大きな庇にも出幅の小さな庇にも適用できる。
【図面の簡単な説明】
【００２７】
【図１】庇用アームの一実施例の使用態様を示す側面図である。
【図２】図１の使用態様を示す平面図である。
【図３】庇用アームの図１の実施例を示す正面図である。
【図４】庇用アームの図１の実施例の他の使用態様を示す側面図である。
【図５】庇用アームの図１の実施例の他の使用態様を示す側面図である。
【図６】図５の使用態様を示す平面図である。
【図７】庇用アームの他の実施例の使用態様とを示す側面図である。
【図８】庇用アームの図７の実施例の他の使用態様を示す側面図である。
【図９】庇用アームの図７の実施例の他の使用態様を示す側面図である。
【図１０】庇用アームの他の実施例を示す側面図である。
【図１１】庇用アームの他の使用態様を示す側面図である。
【図１２】図１１の使用態様を示す平面図である。
【図１３】従来の庇を示す斜視図である。
【発明を実施するための形態】
【００２８】
図１および図２は、庇用アーム２の一実施例の構成と、２本の庇用アーム２を用いて建物の壁面Ｗに設置された庇１の外観とを示している。
図示例の庇１は、建物の壁面Ｗから庇板１０が張り出すように設置されており、庇板１０の両側部位置であって、庇板１０の中心線ｃに対して線対称の位置に各庇用アーム２が位置している。
なお、図２において、矢印ｙで示す方向を庇１の出幅方向、矢印ｘで示す方向を庇１の幅方向という。
【００２９】
図示例の庇板１０は、幅方向の長さｄ１が１３００ｍｍ、出幅方向の長さｄ２が１５００ｍｍであり、両側部位置の庇用アーム２は庇板１０の両側端縁から２００ｍｍ程度内側に位置している。
なお、庇用アーム２は、庇板１０の幅方向の長さｄ１に応じて、両側部位置に加えて、両者間の中間位置に１本または複数本設けてもよい。
【００３０】
庇板１０には種々のものを用いることが可能である。例えば、合成樹脂製の芯材の表裏両面にアルミニウムの薄板が積層された積層複合板を用いることができるほか、合成樹脂製の単板やアルミニウムなどの金属製の単板、さらにはガラス板なども用いることができる。
庇板１０はさらに、図１１および図１２に示すように、複数の板材１１を横並びに連結して構成されたものであってもよい。この実施態様の庇板１０は、後端部が全幅にわたって建物の壁面Ｗに固着された保持具１００により保持されるとともに、幅方向の中央位置が１本の庇用アーム２により上方から支持されている。この実施形態では、庇用アーム２は従前のサポートポールと同様の役割を果たすものであるが、庇板１０との連結箇所や壁面Ｗとの連結箇所に特別な連結金具を用いる必要はない。
【００３１】
図１および図２に示す実施形態では、２本の庇用アーム２，２は、図１１および図１２の実施形態の保持具１００としての機能を果たし、さらに本数を増設することで、サポートポールとしての機能を発揮させてもよい。
庇用アーム２は、アルミ鋳造により形成されており、図１〜図３に示されるように、庇板１０の上面に出幅方向に沿って当接させて固定する支持体３と、後端部に壁面Ｗに固着される固着部５を有し固着部５が壁面Ｗに固着されたとき庇板１０を支持体３を介して片持ち状態で支持するアーム本体４とを一体に備えている。なお、庇用アーム２は、アルミ鋳造に限らず、アルミダイカストにより形成してもよい。
【００３２】
支持体３は、庇板１０の上面に当接させる平坦な面（以下、「当接面」という。）３０を有する帯板状の水平板部３１と、水平板部３１の当接面３０と反対側の面に全長にわたって垂直に設けられる垂直板部３２とを一体に備えている。垂直板部３２は補強リブとして機能するもので、水平板部３１の強度が全長にわたって高められる。水平板部３１は、全長にわたって一定の厚み（例えば６ｍｍ）と一定の幅（例えば９０ｍｍ）とを有し、前端は庇板１０の前端縁の手前まで延びている。この実施態様では、庇１の出幅（ｄ２＝１５００ｍｍ）に対して、庇用アーム２の全長を１１２０ｍｍに設定している。
【００３３】
水平板部３１には、庇板１０に支持体３を固定するためのねじ６が通される複数個の貫通孔３３が、庇板１０に形成された貫通孔と位置を合わせて、所定の間隔をあけて設けられている。庇板１０の貫通孔と水平板部３１の貫通孔３３とにねじ６を一連に通してナット６０を螺着することにより庇板１０に支持体３が固定されている。この実施態様では、庇板１０と水平板部３１の当接面３０との間を接着剤６１により接合しており、これにより、庇板１０と支持体３との接合強度を高めている。なお、支持体３の庇板１０への固定は、ねじ止めと接着のいずれか一方だけであってもよい。
【００３４】
支持体３は、アーム本体４と上下方向に連続するベース部３８と、ベース部３８の前側に連続しアーム本体４の前端より前方へ突き出る突出部３９とを含む。ベース部３８の長さは、突出部３９の長さに対して少なくとも２倍の長さに設定するのが強度上望ましいが、庇板１０が軽量であれば、必ずしもこれに限られるものではない。突出部３９における垂直板部３２の高さｈ２はベース部３８における垂直板部３２の高さｈ１より低く設定されており、例えば、ｈ２＝２６ｍｍ、ｈ１＝４５ｍｍに設定される。突出部３９における垂直板部３２の高さｈ２を２０ｍｍ≦ｈ２≦３０ｍｍに設定すると、突出部３９の強度が確保されるうえに、庇１の出幅に応じて、突出部３９の全体または一部を適当な工具により切り離すことが可能かつ容易である。
【００３５】
図４は、出幅の小さな庇１に用いられた庇用アーム２を示している。図示の庇用アーム２は、図１に示す庇用アーム２の支持体３の突出部３９の一部を切り離すことにより、突出部３９の長さが庇１の出幅に応じた最適値に調整されている。
【００３６】
また、図１、図４の各実施例において、支持体３は、アーム本体４の固着部５が壁面Ｗに固着された状態のとき、庇板１０が前下がりとなるように水平板部３１の当接面３０が水平面に対して前方へ傾いている。これにより雨水は庇板１０の上面を前方向へ流れる。
当接面３０を前方へ傾けるために、この実施例では、アーム本体４の固着部５が壁面Ｗに固着された状態のとき、アーム本体４の後述する水平枠部４１が前方へ傾くようにアーム本体４の形態を設計しているが、これに限らず、ベース部３８における垂直板部３２の高さｈ１を前端側が後端側より次第に高くなるように設定してもよい。
【００３７】
アーム本体４は、耐荷重性を高めるために、側面視の外形が略直角三角形状に形成されており、互いに略直角をなす水平枠部４１と垂直枠部４２、および斜め枠部４３を備えている。水平枠部４１には支持体３の垂直板部３２が連設され、垂直枠部４２には固着部５が一体に設けられている。水平枠部４１と垂直枠部４２との間には複数の仕切枠部４４が設けられ、複数の三角形状の骨組が形づくられている。水平枠部４１、垂直枠部４２、斜め枠部４３，および仕切枠部４４は、長さ方向と直交する断面の形状が正方形状であり、直角をなす４個の角部分が上下、左右の各方向を向いている。
【００３８】
固着部５は、アーム本体４の垂直枠部４２と一体に形成されており、図３に示すように、アーム本体４の長さ方向と直交する背板部５０を備えている。背板部５０は、両側方へ張り出しており、各張り出し部分５０ａ，５０ｂにボルト７を通すボルト挿通孔５１が２個づつ設けられている。背板部５０を建物の壁面Ｗに当て、各ボルト挿通孔５１へボルト７を通して壁面Ｗにねじ込むことによりアーム本体４が壁面Ｗ上に固定される。
各庇用アーム２について、アーム本体４を建物の壁面Ｗに固定することで、庇板１０は２本の庇用アーム２により片持ち状態で支持される。
【００３９】
上記の実施態様では、庇板１０の上面に庇用アーム２の支持体３を当接させて固定することにより庇板１０を上方より吊り下げるような形態で支持しているが、庇用アーム２は、壁面Ｗの状況等によって、上下反転して使用し、壁面Ｗへの設置位置を下方へずらすことができる。
図５は、庇用アーム２を上下反転し、支持体３を上側、アーム本体４を下側にしたもので、庇板１０の下面に庇用アーム２の支持体３の当接面３０を当接させて固定することにより庇板１０を下方より支持する。
【００４０】
庇用アーム２の支持体３を庇板１０の下面に当接させて固定した場合、固着部５が壁面Ｗに固着された状態のとき、庇板１０は後下がりの状態で支持体３により支持されることになり、雨水は庇板１０の上面を後方向へ流れる。
庇用アーム２には、支持体３の垂直板部３２の後端部に円弧状の切欠部３４が形成されている。この切欠部３４は、図５に示す使用態様では、雨水を回収するための樋Ｔの設置を可能とし、また、図１１に示した使用態様では、保持具１００の受け入れを可能とするものである。
【００４１】
図示していないが、図５に示す使用態様においても、庇１の出幅に応じて、支持体３の突出部３９の全部または一部を切り離して用いることができる。
なお、図５に示す庇用アーム２についても、図１および図２に示すものと構成が同じであり、対応する構成に同じ符号を付することで説明を省略する。
【００４２】
図７は、庇用アーム２の他の実施例を示しており、２本の庇用アーム２を両側部位置に用いて庇１が建物の壁面Ｗに設置されている。
この実施態様では、庇板１０の上面に庇用アーム２の支持体３を当接させて固定することにより庇板１０を上方より支持しており、固着部５が壁面Ｗに固着された状態では、庇板１０は後下がりの状態で支持体３により支持されることになり、雨水は庇板１０の上面を後方向へ流れる。
この実施態様では、庇板１０が後下がりとなるように支持体３の水平板部３１の当接面３０を水平面に対して後方へ傾けており、このように傾きを得るために、ベース部３８における垂直板部３２の高さｈ１を前端側が後端側より次第に低くなるように設定している。
なお、庇用アーム２の構成は、図１および図２に示すものと同様であり、対応する構成に同じ符号を付することで説明を省略する。
【００４３】
上記の実施態様においても、図８に示すように、庇１の出幅に応じて、支持体３の突出部３９の全部または一部を切り離して用いることが可能である。
【００４４】
また、この実施態様では、庇板１０の上面に庇用アーム２の支持体３を当接させて固定することにより庇板１０を上方より取り下げるように支持しているが、壁面Ｗの状況等に応じて、庇用アーム２を上下反転して用いることも可能であり、このことは先の実施態様と同様である。
図９は、庇用アーム２を上下反転して、支持体３を上側、アーム本体４を下側にしたもので、庇板１０の下面に庇用アーム２の支持体３の当接面３０を当接させて固定することにより庇板１０を下方より支持している。  
【００４５】
庇用アーム２の支持体３を庇板１０の下面に当接させて固定した場合、固着部５が壁面Ｗに固着された状態では、庇板１０は前下がりの状態で支持体３により支持されることになり、雨水は庇板１０の上面を前方向へ流れる。
【００４６】
この実施態様においても、図１０に示すように、庇１の出幅に応じて、支持体３の突出部３９の全部または一部と切り離して用いることが可能である。
なお、図１０に示す庇用アーム２では、アーム本体４の前寄り位置に円形の枠部４５を設けて、物干しやのれんなどの支持棒を支持するための支持孔４６が形成してある。
【００４７】
上記した態様の庇用アーム２により庇板１０を建物の壁面Ｗに設置するには、庇板１０の幅に応じた本数の庇用アーム２を用いる。例えば２本の庇用アーム２を用いる場合、庇板１０の両側部位置において、各庇用アーム２の支持体３を、例えば庇板１０の上面にそれぞれ当接させて固定し、アーム本体４の固着部５をそれぞれ建物の壁面Ｗにボルト７により固着する。これにより、各庇用アーム２のアーム本体４は支持体３を介して庇板１０を片持ち状態で上方より支持する。
【００４８】
一方、庇板１０の両側部位置において、各庇用アーム２の支持体３を、例えば庇板１０の下面にそれぞれ当接させて固定することができるもので、アーム本体４の固着部５をそれぞれ建物の壁面Ｗにボルト７により固着すると、各庇用アーム２のアーム本体４は支持体３を介して庇板１０を片持ち状態で下方より支持する。
【００４９】
庇用アーム２は、建物の壁面Ｗに庇板１０の全幅にわたって取り付ける必要がなく、特定の位置、例えば両側位置に取り付ければよく、建物の壁面Ｗへの庇板１０の設置作業が容易である。また、庇用アーム２を設置するのに広いスペースが不要であり、しかも、庇板１０を上方、下方のいずれからも片持ち状態で支持できるので、庇１の設置場所の状況に応じて支持の態様を選択でき、庇１の設置場所の制限を回避することが可能である。
【００５０】
また、庇用アーム２は、庇１の出幅に応じて、支持体３を最適な長さに設定することで、出幅の大きな庇にも出幅の小さな庇にも対応できる。この場合に、出幅の小さな庇板１０では、その出幅に応じて、突出部３９の全長ないし部分を切り離すことにより、支持体３の長さを庇板１０の出幅に合わせられるので、出幅が異なる庇板毎に複数種の庇用アーム２を用意する必要がなく、在庫管理が容易である。また、突出部３９における垂直板部３２は高さを低く設定しているので、切断が可能かつ容易である。
【符号の説明】
【００５１】
１    庇
２    庇用アーム
３    支持体
４    アーム本体
５    固着部
１０  庇板
３０  当接面
３１  水平板部
３２  垂直板部
３３  貫通孔
３９  突出部
【図１】
2020045664.tif 000003
【図２】
2020045664.tif 000004
【図３】
2020045664.tif 000005
【図４】
2020045664.tif 000006
【図５】
2020045664.tif 000007
【図６】
2020045664.tif 000008
【図７】
2020045664.tif 000009
【図８】
2020045664.tif 000010
【図９】
2020045664.tif 000011
【図１０】
2020045664.tif 000012
【図１１】
2020045664.tif 000013
【図１２】
2020045664.tif 000014
【図１３】
2020045664.tif 000015